(57)【要約】【課題】  検索キーワード自体の特徴と、その検索キーワードを用いて検索された曲の特徴をも視覚的に表示することができる曲検索装置等を提供する。【解決手段】  曲の音響的特徴又は歌詞の特徴のいずれか一方を示す曲特徴情報を各曲毎に蓄積する曲特徴情報データベース３と、検索されるべき曲を示す検索語を入力する入力部９と、入力される検索語により示される主観に相応しいとして検索されるべき曲の音響的特徴又は歌詞の特徴のいずれか一方を示す検索語特徴情報を各検索語毎に蓄積する検索語特徴情報データベース４と、入力された検索語に対応する入力検索語特徴情報と蓄積されている各曲特徴情報とを夫々比較し、入力検索曲特徴情報に最も類似している曲特徴情報に対応する曲を検索語に対応する曲として抽出する検索処理部８と、入力検索語特徴情報の内容を示す画像と、抽出された曲に対応する曲特徴情報の内容を示す画像と、を同時に同じ構図で表示するディスプレイ１２と、を備える。【選択図】  図１
2005173938.tif 000002
【特許請求の範囲】
【請求項１】
複数の曲の中から一又は複数の当該曲を検索する曲検索装置において、
前記曲の音響的特徴又は当該曲に含まれる歌詞の特徴の少なくともいずれか一方を示す曲特徴情報を各前記曲毎に識別可能に蓄積する曲特徴情報蓄積手段と、
検索されるべき前記曲を示す検索語であって主観を示す言葉よりなる検索語を入力するために用いられる検索語入力手段と、
前記入力される検索語により示される主観に相応しいとして当該検索語を用いて検索されるべきいずれかの前記曲の音響的特徴又は当該曲に含まれる歌詞の特徴の少なくともいずれか一方を示す検索曲特徴情報を、各前記検索語毎に識別可能に蓄積する検索曲特徴情報蓄積手段と、
前記入力された検索語に対応する前記検索曲特徴情報である入力検索曲特徴情報と、前記蓄積されている各曲特徴情報と、を夫々比較する比較手段と、
前記比較手段における比較結果に基づいて、前記入力検索曲特徴情報に最も類似している前記曲特徴情報に対応する前記曲を、前記入力された検索語に対応する前記曲として抽出する抽出手段と、
前記入力検索曲特徴情報の内容を示す画像である入力検索曲特徴情報画像を表示手段に表示させる第一表示制御手段と、
前記抽出された曲に対応する前記曲特徴情報の内容を示す画像である抽出曲特徴情報画像を前記表示手段に表示させる第二表示制御手段と、
を備えることを特徴とする情報検索装置。
【請求項２】
請求項１に記載の情報検索装置において、
前記第一表示制御手段及び前記第二表示制御手段は、前記入力検索曲特徴情報画像及び前記抽出曲特徴情報画像を同時に、且つ、当該入力検索曲特徴情報画像と当該抽出曲特徴情報画像とを同じ構図の画像を用いて前記表示手段に表示させることを特徴とする情報検索装置。
【請求項３】
請求項１又は２に記載の情報検索装置において、
前記抽出された曲が、前記入力された検索語に相応しいか否かを示す評価情報を入力するために用いられる評価情報入力手段と、
前記入力された評価情報に基づいて各前記検索曲特徴情報を更新すると共に、更新された当該検索曲特徴情報の信頼度を示す信頼度情報を生成する検索曲特徴情報更新手段と、
を更に備え、
前記第一表示制御手段は、前記入力検索曲特徴情報画像として、各前記検索曲特徴情報に対応する前記信頼度情報の大きさを当該検索曲特徴情報と併せて表示することを特徴とする情報検索装置。
【請求項４】
請求項３に記載の情報検索装置において、
前記第一表示制御手段は、前記入力検索曲特徴情報画像内において前記信頼度情報の大きさを示す図形のグラデーションを変化させて前記信頼度情報の大きさを表示することを特徴とする情報検索装置。
【請求項５】
請求項３に記載の情報検索装置において、
前記第一表示制御手段は、前記入力検索曲特徴情報画像内において前記信頼度情報の大きさを示す図形の大きさを変化させて前記信頼度情報の大きさを表示することを特徴とする情報検索装置。
【請求項６】
請求項１から５のいずれか一項に記載の情報検索装置において、
前記曲特徴情報及び前記検索曲特徴情報は、前記音響的特徴を示すパラメータとして、前記曲の調を示す調パラメータ、前記曲の平均速度を示す平均ＢＰＭ（Beat Per Minutes）パラメータ、前記曲のビート成分に対応する信号のレベルを示すビートレベルパラメータ、前記曲に対応する信号の最大レベルを示す最大信号レベルパラメータ及び前記曲に対応する信号の平均レベルを示す平均信号レベルパラメータを夫々に含んでいると共に、
前記第一表示制御手段及び前記第二表示制御手段は、前記抽出曲特徴情報画像及び前記入力検索曲特徴情報画像の夫々において、各前記パラメータの大きさを視認可能に表示させることを特徴とする情報検索装置。
【請求項７】
請求項１から５のいずれか一項に記載の情報検索装置において、
前記曲特徴情報及び前記検索曲特徴情報は、前記歌詞の特徴を示すパラメータとして、各前記曲を構成する前記歌詞の内容を主観的に象徴し且つ相互に異なる主観に対応する複数の象徴パラメータを夫々に含んでいると共に、
前記第一表示制御手段及び前記第二表示制御手段は、前記抽出曲特徴情報画像及び前記入力検索曲特徴情報画像の夫々において、各前記象徴パラメータの大きさを視認可能に表示させることを特徴とする情報検索装置。
【請求項８】
請求項６又は７に記載の情報検索装置において、
前記第一表示制御手段及び前記第二表示制御手段は、前記抽出曲特徴情報画像及び前記入力検索曲特徴情報画像の夫々において、各前記パラメータを示す図形を描画する際の色自体の相違により当該各パラメータの大きさを表現して当該抽出曲特徴情報画像及び当該入力検索曲特徴情報画像を表示することを特徴とする情報検索装置。
【請求項９】
請求項１から８のいずれか一項に記載の情報検索装置において、
前記表示されている入力検索曲特徴情報画像に対応する前記入力検索曲特徴情報を使用者が変更するための変更情報を入力するために用いられる変更入力手段を更に備えることを特徴とする情報検索装置。
【請求項１０】
請求項３から８のいずれか一項に記載の情報検索装置において、
前記表示されている入力検索曲特徴情報画像に対応する前記入力検索曲特徴情報及び当該入力検索曲特徴情報に対応する前記信頼度情報の夫々を変更するための変更情報を入力するために用いられる変更入力手段を更に備えることを特徴とする情報検索装置。
【請求項１１】
請求項２から１０のいずれか一項に記載の情報検索装置において、
前記入力検索曲特徴情報画像及び前記抽出曲特徴情報画像が同時に表示されている場合において、当該表示されている入力検索曲特徴情報画像に対応する前記検索曲特徴情報の内容を、前記表示されている抽出曲特徴情報画像に対応する前記曲特徴情報の内容と同一の内容に置換して前記検索曲特徴情報蓄積手段に蓄積し直す置換手段を更に備えることを特徴とする情報検索装置。
【請求項１２】
請求項１から１１のいずれか一項に記載の情報検索装置において、
前記曲を複数蓄積する曲蓄積手段を更に備えることを特徴とする情報検索装置。
【請求項１３】
曲の音響的特徴又は当該曲に含まれる歌詞の特徴の少なくともいずれか一方を示す曲特徴情報を各前記曲毎に識別可能に蓄積する曲特徴情報蓄積手段と、
検索されるべき前記曲を示し且つ主観を示す言葉よりなる検索語により示される当該主観に相応しいとして当該検索語を用いて検索されるべきいずれかの前記曲の音響的特徴又は当該曲に含まれる歌詞の特徴の少なくともいずれか一方を示す検索曲特徴情報を、各前記検索語毎に識別可能に蓄積する検索曲特徴情報蓄積手段と、
表示手段と、
を備え、複数の当該曲の中から一又は複数の当該曲を検索する曲検索装置において実行される曲検索方法であって、
前記検索語を入力する検索語入力工程と、
前記入力された検索語に対応する前記検索曲特徴情報である入力検索曲特徴情報と、前記蓄積されている各曲特徴情報と、を夫々比較する比較工程と、
前記比較工程における比較結果に基づいて、前記入力検索曲特徴情報に最も類似している前記曲特徴情報に対応する前記曲を、前記入力された検索語に対応する前記曲として抽出する抽出工程と、
前記入力検索曲特徴情報の内容を示す画像である入力検索曲特徴情報画像を前記表示手段に表示させる第一表示制御工程と、
前記抽出された曲に対応する前記曲特徴情報の内容を示す画像である抽出曲特徴情報画像を前記表示手段に表示させる第二表示制御工程と、
を備えることを特徴とする情報検索方法。
【請求項１４】
複数の曲の中から一又は複数の当該曲を検索する曲検索装置に含まれるコンピュータを、
前記曲の音響的特徴又は当該曲に含まれる歌詞の特徴の少なくともいずれか一方を示す曲特徴情報を各前記曲毎に識別可能に蓄積する曲特徴情報蓄積手段、
検索されるべき前記曲を示す検索語であって主観を示す言葉よりなる検索語を入力するために用いられる検索語入力手段、
前記入力される検索語により示される主観に相応しいとして当該検索語を用いて検索されるべきいずれかの前記曲の音響的特徴又は当該曲に含まれる歌詞の特徴の少なくともいずれか一方を示す検索曲特徴情報を、各前記検索語毎に識別可能に蓄積する検索曲特徴情報蓄積手段、
前記入力された検索語に対応する前記検索曲特徴情報である入力検索曲特徴情報と、前記蓄積されている各曲特徴情報と、を夫々比較する比較手段、
前記比較手段における比較結果に基づいて、前記入力検索曲特徴情報に最も類似している前記曲特徴情報に対応する前記曲を、前記入力された検索語に対応する前記曲として抽出する抽出手段、
前記入力検索曲特徴情報の内容を示す画像である入力検索曲特徴情報画像を表示手段に表示させる第一表示制御手段、及び、
前記抽出された曲に対応する前記曲特徴情報の内容を示す画像である抽出曲特徴情報画像を前記表示手段に表示させる第二表示制御手段、
として機能させることを特徴とする情報検索用プログラム。
【請求項１５】
請求項１４に記載の情報検索用プログラムが前記コンピュータにより読み出し可能に記録されていることを特徴とする情報記録媒体。
【発明の詳細な説明】
【技術分野】
【０００１】
本願は、曲検索装置、曲検索方法及び曲検索用プログラム、情報記録媒体の技術分野に属し、より詳細には、夫々が歌（歌唱）と演奏（前奏、伴奏、間奏及び後奏を含む。以下同じ。）とからなる複数の曲の中から一又は複数の当該曲を検索する曲検索装置及び曲検索方法、当該曲検索に用いられる曲検索用プログラム並びに当該曲検索用プログラムが記録された情報記録媒体の技術分野に属する。
【背景技術】
【０００２】
近年、例えば車載用のナビゲーション装置や家庭用のサーバ装置等、多数の曲を再生するためのデジタルデータを蓄積し、この中から好きな曲を選んで再生することが行われつつある。
【０００３】
このとき、従来においては、第一の曲検索方法として、再生したい曲に含まれている歌を構成する構成語（フレーズ）の一部をその文言のまま入力し、その構成語を含む歌を含む曲を検索して再生することが一般に行われていた。
【０００４】
また、使用者の主観を反映した第二の曲検索方法として、下記特許文献１に記載されている如く、各検索キーワード（例えば、「陽気な曲」、「スカッとする曲」）と各特徴ワード（例えば、「明るさ」、「元気」）との相関値を含むと共に更新可能な感性テーブルを用意すると共に、各特徴ワードに係る特徴の有無を“１”と“０”とで示す特徴ワードリストを用意し、使用者が所望の検索キーワードを入力すると、これに合致する複数の曲が、感性テーブル及び特徴ワードリストを基準に検索する検索方法があった。
【特許文献１】特開２００３−１３２０８５  （第１図乃至第３図）
【０００５】
一方、曲や一般の文書等をファイルとして管理するファイル管理システムなどにおける、ソートしたファイル群の表示方法として、それぞれのファイルに複数種類の付加情報を付けて記憶しておき、指示に応じて、一つの付加情報について上記ファイルの順番を決め（ソートし）、上記付加情報の付けられたファイルに対応したファイルオブジェクトのＸ座標を一つの付加情報（例えば登録日時）の順番・値に対応付け、Ｙ座標を他の付加情報（例えば検索キーとの合致度）の順番・値に対応付け、ファイルオブジェクトの大きさを更に他の付加情報（例えば参照頻度）の値に対応付けて一つのＸＹ座標上に複数のファイルオブジェクトを表示する下記特許文献２に示すような表示方法があった。
【特許文献２】特開２０００−１２２７７０  （第２図）
【発明の開示】
【発明が解決しようとする課題】
【０００６】
しかしながら、上述した従来の各曲検索方法及び検索結果の表示方法では、あくまで検索されたファイル自体がその検索に用いられた検索キーワードとどの程度類似しているかを表示するのみであり、その検索キーワード自体の特徴と、その検索キーワードにより検索された曲等のファイルの特徴と、を比較するという概念は、従来勘案されたことはなかった。
【０００７】
そこで、本願は上記の点に鑑みて為されたもので、その課題の一例は、使用者が入力した検索キーワード自体の特徴を視覚的に表示すると共に、その検索キーワードを用いて検索されたファイルの特徴をも視覚的に表示することができ、これにより自己が入力した検索キーワードの特徴と抽出されたファイルの特徴との類似度をイメージとして把握することが可能な曲検索装置及び曲検索方法、当該曲検索に用いられる曲検索用プログラム並びに当該曲検索用プログラムが記録された情報記録媒体を提供することにある。
【課題を解決するための手段】
【０００８】
上記の課題を解決するために、請求項１に記載の発明は、複数の曲の中から一又は複数の当該曲を検索する曲検索装置において、前記曲の音響的特徴又は当該曲に含まれる歌詞の特徴の少なくともいずれか一方を示す曲特徴情報を各前記曲毎に識別可能に蓄積する曲特徴情報データベース等の曲特徴情報蓄積手段と、検索されるべき前記曲を示す検索語であって主観を示す言葉よりなる検索語を入力するために用いられる入力部等の検索語入力手段と、前記入力される検索語により示される主観に相応しいとして当該検索語を用いて検索されるべきいずれかの前記曲の音響的特徴又は当該曲に含まれる歌詞の特徴の少なくともいずれか一方を示す検索曲特徴情報を、各前記検索語毎に識別可能に蓄積する検索語特徴情報データベース等の検索曲特徴情報蓄積手段と、前記入力された検索語に対応する前記検索曲特徴情報である入力検索曲特徴情報と、前記蓄積されている各曲特徴情報と、を夫々比較する検索処理部等の比較手段と、前記比較手段における比較結果に基づいて、前記入力検索曲特徴情報に最も類似している前記曲特徴情報に対応する前記曲を、前記入力された検索語に対応する前記曲として抽出する検索処理部等の抽出手段と、前記入力検索曲特徴情報の内容を示す画像である入力検索曲特徴情報画像をディスプレイ等の表示手段に表示させる検索処理部等の第一表示制御手段と、前記抽出された曲に対応する前記曲特徴情報の内容を示す画像である抽出曲特徴情報画像を前記表示手段に表示させる検索処理部等の第二表示制御手段と、を備える。
【０００９】
上記の課題を解決するために、請求項１３に記載の発明は、曲の音響的特徴又は当該曲に含まれる歌詞の特徴の少なくともいずれか一方を示す曲特徴情報を各前記曲毎に識別可能に蓄積する曲特徴情報データベース等の曲特徴情報蓄積手段と、検索されるべき前記曲を示し且つ主観を示す言葉よりなる検索語により示される当該主観に相応しいとして当該検索語を用いて検索されるべきいずれかの前記曲の音響的特徴又は当該曲に含まれる歌詞の特徴の少なくともいずれか一方を示す検索曲特徴情報を、各前記検索語毎に識別可能に蓄積する検索語特徴情報データベース等の検索曲特徴情報蓄積手段と、ディスプレイ等の表示手段と、を備え、複数の当該曲の中から一又は複数の当該曲を検索する曲検索装置において実行される曲検索方法であって、前記検索語を入力する検索語入力工程と、前記入力された検索語に対応する前記検索曲特徴情報である入力検索曲特徴情報と、前記蓄積されている各曲特徴情報と、を夫々比較する比較工程と、前記比較工程における比較結果に基づいて、前記入力検索曲特徴情報に最も類似している前記曲特徴情報に対応する前記曲を、前記入力された検索語に対応する前記曲として抽出する抽出工程と、前記入力検索曲特徴情報の内容を示す画像である入力検索曲特徴情報画像を前記表示手段に表示させる第一表示制御工程と、前記抽出された曲に対応する前記曲特徴情報の内容を示す画像である抽出曲特徴情報画像を前記表示手段に表示させる第二表示制御工程と、を備える。
【００１０】
上記の課題を解決するために、請求項１４に記載の発明は、複数の曲の中から一又は複数の当該曲を検索する曲検索装置に含まれるコンピュータを、前記曲の音響的特徴又は当該曲に含まれる歌詞の特徴の少なくともいずれか一方を示す曲特徴情報を各前記曲毎に識別可能に蓄積する曲特徴情報蓄積手段、検索されるべき前記曲を示す検索語であって主観を示す言葉よりなる検索語を入力するために用いられる検索語入力手段、前記入力される検索語により示される主観に相応しいとして当該検索語を用いて検索されるべきいずれかの前記曲の音響的特徴又は当該曲に含まれる歌詞の特徴の少なくともいずれか一方を示す検索曲特徴情報を、各前記検索語毎に識別可能に蓄積する検索曲特徴情報蓄積手段、前記入力された検索語に対応する前記検索曲特徴情報である入力検索曲特徴情報と、前記蓄積されている各曲特徴情報と、を夫々比較する比較手段、前記比較手段における比較結果に基づいて、前記入力検索曲特徴情報に最も類似している前記曲特徴情報に対応する前記曲を、前記入力された検索語に対応する前記曲として抽出する抽出手段、前記入力検索曲特徴情報の内容を示す画像である入力検索曲特徴情報画像をディスプレイ等の表示手段に表示させる第一表示制御手段、及び、前記抽出された曲に対応する前記曲特徴情報の内容を示す画像である抽出曲特徴情報画像を前記表示手段に表示させる第二表示制御手段、として機能させる。
【００１１】
上記の課題を解決するために、請求項１５に記載の発明は、請求項１４に記載の情報検索用プログラムが前記コンピュータにより読み出し可能に記録されている。
【発明を実施するための最良の形態】
【００１２】
次に、本願に対応する最良の実施形態について、図面に基づいて説明する。なお、以下に説明する実施形態は、複数の曲を蓄積し、使用者の要求に応じていずれかの曲を検索して出力（再生）する曲検索装置に対して本願を適用した場合の実施の形態である。
【００１３】
（Ｉ）全体構成及び全体動作
始めに、実施形態に係る曲検索装置の全体構成及び全体動作について、図１及び図２を用いて説明する。なお、図１は当該曲検索装置の概要構成を示すブロック図であり、図２は当該曲検索装置内に蓄積されている情報のデータ構造を例示する図である。
【００１４】
図１に示すように、実施形態に係る曲検索装置Ｓは、曲入力部１と、曲データベース２と、曲特徴情報蓄積手段としての曲特徴情報データベース３と、検索語特徴情報蓄積手段としての検索語特徴情報データベース４と、音特徴情報抽出部５と、構成語情報抽出部６と、曲特徴情報生成部７と、比較手段及び抽出手段としての検索処理部８と、検索語入力手段としての入力部９と、曲出力部１０と、履歴記憶部１１と、表示手段としてのディスプレイ１２と、により構成されている。
【００１５】
このとき、曲データベース２には、後述する曲検索処理により検索される検索対象としての複数の曲が蓄積記憶されている。そして、夫々の曲には、少なくとも歌（歌唱）と、前奏、伴奏、間奏及び後奏を含む演奏と、が含まれている。
【００１６】
ここで、曲データベース２に蓄積されるべき曲の当該曲データベース２への入力は、当該曲に対応する曲情報Ｓsgが外部から曲入力部１に入力されると、当該曲入力部１において曲情報Ｓsgに対して曲データベース２に蓄積するためのフォーマット変換処理等が施され、当該処理後の曲情報Ｓsgが曲データベース２に入力されることにより実行される。
【００１７】
次に、曲特徴情報データベース３には、曲データベース２内に蓄積されている全ての曲に対応する曲特徴情報が、各曲毎に識別可能に蓄積されている。
【００１８】
ここで、当該曲特徴情報は、曲データベース２内に蓄積されている各曲毎に夫々対応して曲特徴情報データベース３内に蓄積されているものであり、当該各曲内の歌及び演奏の夫々を特徴付ける情報である。
【００１９】
次に、当該曲特徴情報について具体的に図１及び図２（ａ）を用いて説明する。
【００２０】
上記曲特徴情報は、新たな曲が曲情報Ｓsgとして曲データベース２に入力されると、当該曲に対応するものとして新たに生成され、当該生成された曲特徴情報が曲特徴情報データベース３に新たに登録・蓄積される。
【００２１】
ここで、新たな曲が曲データベース２に蓄積されると、図１に示すように、当該曲に対応する曲情報Ｓsgが曲データベース２から読み出され、夫々音特徴情報抽出部５及び構成語特徴情報抽出部６に出力される。
【００２２】
そして、音特徴情報抽出部５は、曲情報Ｓsgからその曲の音響的特徴を示す複数のパラメータを抽出し、音特徴情報Ｓavとして曲特徴情報生成部７に出力する。
【００２３】
このとき、音特徴情報Ｓavに含まれる上記複数のパラメータには、図２（ａ）右に示すように、例えばその曲の速さ（ＢＰＭ（Beat Per Minutes））、その曲の最大出力レベル（最大音量）、その曲の平均出力レベル（平均音量）、その曲に含まれるコード、その曲のビートレベル（すなわち、その曲のビート成分の信号レベル（大きさ））、その曲の調（ハ長調又はイ短調等の調）などがある。
【００２４】
これと並行して、構成語情報抽出部６は、曲情報Ｓsgからその曲に含まれている歌（歌詞）を抽出すると共に、当該抽出された歌の中に予め設定されている単語（フレーズ。以下、単に構成語と称する）が含まれているか否かを検索し、当該検索結果（その歌に含まれていた構成語であるか否か）を各構成語毎に示す構成語情報Ｓwdを生成し、曲特徴情報生成部７に出力する。
【００２５】
このとき、当該構成語情報Ｓwdは、予め設定されている構成語である「アイ」、「ウミ」、「オモイ」又は「キボウ」等の夫々が、ある曲を構成する歌に含まれているか否かをその曲毎に示すものであり、その構成語がその歌に含まれていればその構成語についての構成語特徴情報Ｓwdの値は「１」となり、一方その構成語がその歌に含まれていなければその構成語についての構成語特徴情報Ｓwdの値は「０」となる。より具体的には、例えば図２（ａ）左に示すように、曲データベース２内の曲番号「０」の曲においては「アイ」なる構成語はその曲の歌に含まれているが、「ウミ」、「オモイ」及び「キボウ」なる構成語はその曲の歌に含まれていないことになる。また同様に、曲データベース２内の曲番号「１」の曲においては「アイ」、「ウミ」及び「キボウ」なる構成語はその曲の歌に含まれているが、「オモイ」なる構成語はその曲の歌に含まれていないことになる。
【００２６】
これらにより、曲特徴情報生成部７は、音特徴情報Ｓavと構成語特徴情報Ｓwdとを対応する曲毎に組み合わせ、例えば図２（ａ）に示す如き各曲に対応する複数の曲特徴情報２０により構成される曲特徴情報Ｓspを曲特徴情報データベース３に出力し、当該曲特徴情報データベース３内に登録・蓄積させる。このとき、図２（ａ）に示すように、一の曲特徴情報２０は、上記音特徴情報抽出部５により抽出されたその曲の音響的特徴と、上記構成語情報抽出部６により抽出されたその曲内の歌における構成語情報と、が各曲毎に対となって構成されている。
【００２７】
更に、検索語特徴情報データベース４は、後述する曲検索処理において使用者から入力される検索キーワード（すなわち、その使用者がその時に聴取したいと感じている曲を主観的に特徴付ける検索キーワード。以下、単に検索語と称する）として予め設定されている検索語の全てに対応する検索語特徴情報が、各検索語毎に識別可能に蓄積されている。
【００２８】
ここで、当該検索語特徴情報は、曲データベース２内に蓄積されている曲を使用者が検索する際に選択して入力すべきものとして当該使用者に提示される各検索語の夫々を特徴付ける情報（検索語自体ではない）である。
【００２９】
次に、当該検索語特徴情報について具体的に図２（ｂ）を用いて説明する。
【００３０】
一の当該検索語特徴情報３０は、図２（ｂ）に例示するように、各検索語特徴情報３０を他の検索特徴情報３０から識別するための検索語特徴情報識別情報（図２（ｂ）中、「検索ＩＤ」と示す）と、その検索語特徴情報３０が対応している検索語自体と、当該対応している検索語を用いて曲データベース２内から検索・抽出されるべき（換言すれば、検索・抽出されることが期待される）曲に含まれる歌を特徴付ける歌特徴情報と、その検索・抽出されるべき（検索・抽出されることが期待される）曲の音響的特徴を示す複数のパラメータを含む音特徴情報と、により構成されている。
【００３１】
ここで、検索語特徴情報３０を構成する音特徴情報は、具体的には上記音特徴情報Ｓavに含まれる各パラメータと同様の音響的なパラメータを含んでいる。
【００３２】
また、同様に検索語特徴情報３０を構成する歌特徴情報は、その検索語特徴情報３０を用いて検索・抽出されるべき曲に含まれている歌を特徴付ける主観的な複数の歌特徴情報の夫々を、その検索語特徴情報３０が対応している検索語を用いて検索・抽出されるべき曲に含まれる歌個々の具体的な内容に応じて重み付けしたものの集合である。
【００３３】
より具体的に図２（ｂ）に示す例では、検索語「心あたたまる」に対応している検索語特徴情報３０においては、「心あたたまる」という名称の歌特徴情報が他の歌特徴情報に対して「０．９」なる重み付けで含まれており、「勇気付けられる」という名称の歌特徴情報が他の歌特徴情報に対して「０．３」なる重み付けで含まれており、「悲しい・さみしい」という名称の歌特徴情報が他の歌特徴情報に対して「０．１」なる重み付けで含まれている一方、「明るい」という名称の歌特徴情報の当該重み付けは「０」とされている。これに対し、検索語「明るい」に対応している検索語特徴情報３０においては、歌特徴情報「明るい」が他の歌特徴情報に対して「０．７」なる重み付けで含まれており、歌特徴情報「心あたたまる」が他の歌特徴情報に対して「０．２」なる重み付けで含まれており、歌特徴情報「勇気付けられる」が他の歌特徴情報に対して「０．５」なる重み付けで含まれている一方、歌特徴情報「悲しい・さみしい」の当該重み付けは「０」とされている。更に、検索語「悲しい・さみしい」に対応している検索語特徴情報３０においては、歌特徴情報「心あたたまる」が他の歌特徴情報に対して「０．３」なる重み付けで含まれており、歌特徴情報「悲しい・さみしい」が他の歌特徴情報に対して「０．８」なる重み付けで含まれている一方、歌特徴情報「明るい」及び歌特徴情報「勇気付けられる」の当該重み付けは夫々「０」とされている。更にまた、他の検索語「勇気付けられる」又は「落ちつく」等に夫々対応している検索語特徴情報３０おいても、各歌特徴情報「心あたたまる」、「明るい」、「悲しい・さみしい」並びに「勇気付けられる」の夫々が予め設定された重み付けで含まれている。
【００３４】
なお、各歌特徴情報により示される主観的概念と同一の主観的概念がいずれかの検索語により示されている（検索語そのものとなっている）のは、後述するように各使用者毎にその好みに応じた曲の検索結果を得るためである。また、各歌特徴情報自体は、曲データベース２に蓄積されている曲（より具体的にはその曲に含まれる歌）の特徴を示すものであって検索語自体とは別個のものであるが、その詳細については後述する。
【００３５】
そして、曲特徴情報データベース３及び検索語特徴情報データベース４に夫々蓄積されている情報を用いて使用者が主観的に所望する曲を検索する場合には、先ず、入力部９においていずれかの上記検索語が使用者により入力されると、当該入力された検索語を示す入力情報Ｓinが検索処理部８に出力される。
【００３６】
これにより、検索処理部８は、入力情報Ｓinに基づき、入力された検索語に対応している一の検索語特徴情報３０を検索語特徴情報Ｓwdsとして検索語特徴情報データベース４から抽出すると共に、曲データベース２に蓄積されている全ての曲に対応する複数の曲特徴情報２０を曲特徴情報Ｓspとして曲特徴情報データベース３から抽出する。そして、夫々抽出された検索語特徴情報３０と各曲特徴情報２０とを夫々比較し、その検索語特徴情報３０に最も類似している曲特徴情報２０が対応している曲を示す曲識別情報Ｓrzを生成して曲データベース２に出力する。これらと並行して、検索処理部８は、入力された検索語に対応しているとして検索語特徴情報データベース４から抽出された一の検索語特徴情報３０を示す図形（以下、単に検索語特徴情報図形と称する）と、その抽出された検索語特徴情報３０に最も類似しているとされた曲特徴情報２０を示す図形（以下、単に曲特徴情報図形と称する）と、を、同じ構図の図形としてディスプレイ１２に表示すべく表示信号Ｓdpを生成して当該ディスプレイ１２に出力する。なお、この検索語特徴情報図形及び曲特徴情報図形の具体的構図例については、後ほど詳述する。
【００３７】
そして、曲データベース２は、上記曲識別情報Ｓrzにより示される曲を曲情報Ｓsgとして曲出力部１０へ出力する。
【００３８】
これにより、曲出力部１０は、出力されてきた曲情報Ｓsgに対して必要な出力インターフェース処理等を施し、当該処理後の曲情報Ｓsgを図示しない外部の増幅部又は放送送信部等に出力する。
【００３９】
また、一の曲を示す曲情報Ｓsgが曲出力部１０から出力された後には、次に、その出力された曲情報Ｓsgに対応する曲が、検索語を最初に入力した使用者の所望するものであったか否かが評価情報として再度入力部９において入力され、対応する入力情報Ｓinが検索処理部８へ出力される。
【００４０】
これにより、検索処理部８は、入力情報Ｓinとして入力されてきた上記評価情報に基づいて、過去の曲検索処理の結果を示す履歴情報を生成し、履歴情報Ｓmとして履歴記憶部１１に一時的に記憶させると共に必要に応じてこれを読み出し、後述する履歴管理処理を行う。
【００４１】
（II）曲検索処理
次に、上述した構成を備える曲検索装置Ｓを用いて実行される実施形態に係る曲検索処理について、具体的に図３乃至図８を用いて説明する。なお、図３は当該曲検索装置における曲検索処理を示すフローチャートであり、図４は当該曲検索処理に用いられる変換テーブルの内容を例示する図であり、図５は入力された検索語に対応する検索語特徴情報図形及びそれに相応しいとして抽出された曲に対応する曲特徴情報図形の表示例を示す図であり、図６は実施形態に係る履歴処理に用いられる履歴情報を例示する図であり、図７は当該履歴情報を用いた履歴管理処理を示すフローチャートであり、図８及び図９は当該履歴管理処理に用いられるデータベースを夫々例示する図であり、図１０は入力された検索語に対応する検索語特徴情報図形及びそれに相応しいとして抽出された曲に対応する曲特徴情報図形の他の表示例を示す図である。
【００４２】
図３に示すように、主として検索処理部８を中心として実行される実施形態の曲検索処理においては、始めに使用者により所望の主観的な検索語が決定されて入力部９において入力されると（ステップＳ１）、その入力された検索語に対応する検索語特徴情報３０が検索語特徴情報データベース４から抽出されて検索処理部８に出力される（ステップＳ２）。そして、検索処理部８は、当該抽出された検索語特徴情報３０に対応する検索語特徴情報図形を、その時の検索語特徴情報３０の内容に応じてディスプレイ１２上に表示するための図形情報を構築し、当該検索処理部８内の図示しないメモリ内に一時的に格納する（ステップＳ１５）。
【００４３】
また、このステップＳ１及びＳ２の処理と並行して、曲特徴情報データベース３から全ての曲に含まれる歌を構成する構成語が、各曲毎に読み出されて検索処理部８へ出力される（ステップＳ３）。そして、検索処理部８は、この読み出された構成語に基づき、検索処理部８内の図示しないメモリに記憶されている変換テーブルを用いて当該構成語を各曲に含まれる歌に対応する歌特徴情報に変換する処理を、各歌毎に実行する（ステップＳ４）。
【００４４】
ここで、当該変換テーブルについて、具体的に図４を用いて例示しつつ説明する。
【００４５】
ステップＳ４における処理により生成される歌特徴情報は、上述した検索語特徴情報３０内に重み付けされて含まれている歌特徴情報と同一のものであり、その歌特徴情報が対応すべき各曲毎に、その曲に含まれている歌を構成する構成語の夫々を、その歌特徴情報個々の具体的な内容に応じて重み付けしたものの集合である。
【００４６】
より具体的に図４に示す変換テーブルＴの例では、「心あたたまる」なる歌特徴情報４０においては、「キボウ」なる構成語が他の構成語に対して「０．４」なる重み付けで含まれており、「ウミ」なる構成語及び「オモイ」なる構成語が他の構成語に対して「０．１」なる重み付けで含まれている一方、「アイ」なる構成語の当該重み付けは「０」とされた上で当該「心あたたまる」なる歌特徴情報が生成されることとされている。これに対し、「明るい」なる歌特徴情報４０においては、「オモイ」なる構成語が他の構成語に対して「０．８」なる重み付けで含まれており、「アイ」なる構成語が他の構成語に対して「０．２」なる重み付けで含まれており、更に「ウミ」なる構成語及び「キボウ」なる構成語が他の構成語に対して「０．１」なる重み付けで含まれている。更にまた、「悲しい・さみしい」なる歌特徴情報４０においては、「キボウ」なる構成語が他の構成語に対して「０．７」なる重み付けで含まれており、「ウミ」なる構成語が他の構成語に対して「０．２」なる重み付けで含まれている一方、「アイ」なる構成語及び「オモイ」なる構成語の当該重み付けは「０」とされた上で当該「悲しい・さみしい」なる歌特徴情報４０が生成されることとされている。最後に、「勇気付けられる」なる歌特徴情報４０においては、「キボウ」なる構成語が他の構成語に対して「０．８」なる重み付けで含まれており、「ウミ」なる構成語が他の構成語に対して「０．４」なる重み付けで含まれており、「アイ」なる構成語が他の構成語に対して「０．５」なる重み付けで含まれている一方、「オモイ」なる構成語の当該重み付けは「０」とされた上で当該「勇気付けられる」なる歌特徴情報４０が生成されることとされている。
【００４７】
そして、上記ステップＳ４の処理においては、図４に例示される変換テーブルＴを用いて、各曲毎に夫々の構成語から対応する歌特徴情報４０が生成される。より具体的には、例えば図４に例示する変換テーブルＴを用いる場合に、変換テーブルＴに挙げられている構成語のうち、ある曲に構成語「ウミ」、「オモイ」及び「キボウ」のみが含まれているとすると、そのある曲についての「心あたたまる」なる歌特徴情報４０の値は、各構成語「ウミ」、「オモイ」及び「キボウ」の夫々の、「心あたたまる」なる歌特徴情報４０における重み付けである「０．１」、「０．１」及び「０．４」を加えた「０．６」となる。同様に、その曲についての「明るい」なる歌特徴情報４０の値は、各構成語「ウミ」、「オモイ」及び「キボウ」の夫々の、「明るい」なる歌特徴情報４０における重み付けである「０．１」、「０．８」及び「０．１」を加えた「１．０」となる。以下同様に、変換テーブルＴに挙げられている各歌特徴情報４０の夫々につき、各構成語に対応する重み付け値を加算することでその曲における夫々の値が決定される。
【００４８】
更に、上記ステップＳ１及びＳ２並びにステップＳ３及びＳ４の処理と並行して、曲特徴情報データベース３から全ての曲に対応する曲特徴情報２０の夫々における音特徴情報のみが各曲毎に読み出されて検索処理部８へ出力される（ステップＳ５）。
【００４９】
これらにより、検索処理部８は、ステップＳ２において抽出された一の検索語特徴情報３０に含まれている各歌特徴情報（夫々の歌特徴情報４０の重み付けを含む）とステップＳ４において変換された各曲に対応する歌特徴情報４０とが各曲毎に比較されると共に、当該一の検索語特徴情報３０に含まれている音特徴情報とステップＳ５において抽出された各曲に対応する音特徴情報とが各曲毎に比較され、各曲に対応する歌特徴情報４０及び音特徴情報と入力された検索語との類似度が各曲毎に算出される（ステップＳ６）。
【００５０】
そして、算出された各曲毎の類似度に基づいて、出力されるべき曲をその類似度の高い順に並べた再生リストが作成され（ステップＳ７）、その再生リストにより示されている順に同じく示されている曲が曲データベース２から抽出されて曲出力部１０を介して出力される（ステップＳ８）。
【００５１】
また、上記ステップＳ８の曲出力処理と並行して、検索処理部８は、当該出力されている曲に対応する曲特徴情報２０に対応する曲特徴情報図形を、その曲特徴情報２０の内容に応じてディスプレイ１２上に表示するための図形情報を構築する。そして、当該構築された曲特徴情報図形に対応する図形情報と、上記ステップＳ１５の処理により構築されて格納されていた上記検索語特徴情報図形に対応する図形情報と、を含む上記表示信号Ｓdpを生成してディスプレイ１２に出力し、当該検索語特徴情報図形及び曲特徴情報図形を同時に同一の画面内に並べて表示する（ステップＳ１６）。
【００５２】
ここで、当該各図形の表示態様について、具体的に図５を用いて説明する。
【００５３】
図５に例示するように、検索語特徴情報図形５０と曲特徴情報図形６０とは、ディスプレイ１２内に同時に並べて表示される。
【００５４】
このとき、曲特徴情報図形６０についてより具体的には、例えば図５右に示すように、その曲特徴情報図形６０が対応する曲特徴情報２０により特徴付けられる曲の調を示す図形である調図形６６を中心として、その曲特徴情報２０に含まれる音特徴情報に含まれるいずれかのパラメータ及び当該曲特徴情報２０に含まれる構成語を用いて生成されるいずれかの歌特徴情報の中から予め設定されたものを含む特徴図形６１乃至６５が含まれている。
【００５５】
このうち、調図形６６は、２４種類（具体的には、「ハ長調」、「イ短調」、「ヘ長調」、「ニ短調」、「変ロ長調」、「ト短調」、「変ホ長調」、「ハ短調」、「変イ長調」、「ヘ短調」、「変ニ長調」、「変ロ短調」、「変ト長調」、「変ホ短調」、「ロ長調」、「嬰ト短調」、「ホ長調」、「嬰ハ短調」、「イ長調」、「嬰へ短調」、「ニ長調」、「ロ短調」、「ト長調」及び「ホ短調」の２４種類）の調のいずれか一つを示す矢印６７を一つのみ含む（すなわち、一つの曲を一つの調で代表して示す）図形とされている。このとき、当該各調を示す矢印６７の色並びにその矢印６７の表示位置及び表示方向（調図形６６を構成する円内における表示位置及び表示方向）は予め定められており、この定められた表示位置及び表示方向のいずれか一つに、その曲特徴情報２０に含まれている調を示す矢印６７が表示されることになる。
【００５６】
一方、特徴図形６１乃至６５については、その曲特徴情報２０により特徴付けられる曲の歌に含まれている構成語を図４に示す変換テーブルＴを用いて変換して得られ且つその曲を特徴付ける歌特徴情報のいずれかと、その曲特徴情報２０に音特徴情報として含まれているパラメータ（上記調を示すパラメータを除く。図２（ａ）参照）のいずれかと、のうち、予め設定された数（図５の場合五つ）のものが予め設定された表示位置（図５の場合、上記調図形６６を中心とした五角形の夫々の頂点の位置）に表示される。例えば、特徴図形６１がその曲の歌特徴情報「心あたたまる」に対応し、特徴図形６２がその曲のパラメータ「ＢＰＭ」に対応し、特徴図形６３がその曲の歌特徴情報「明るい」に対応し、特徴図形６４がその曲のパラメータ「最大レベル」に対応し、特徴図形６５がその曲のパラメータ「平均レベル」に対応するものとして表示される。そして、各特徴図形６１乃至６５においては、夫々の特徴図形として示される歌特徴情報又はパラメータの値が、当該各歌特徴情報及び当該各パラメータの夫々が採り得る最大値及び最小値を用いて正規化された値として予め設定された色により表現される。
【００５７】
なお、上記特徴図形６１乃至６５のうち、曲特徴情報２０に音特徴情報として含まれているパラメータを示す特徴図形については、その曲の再生中に特徴図形として表示されているパラメータの値が変化したとき、その変化に応じて対応する特徴図形の色又は形状を変化させて表示するように構成しても良い。
【００５８】
他方、検索語特徴情報図形５０についてより具体的には、例えば図５左に示すように、当該検索語特徴情報図形５０においては、先ず、その検索語特徴情報図形５０が対応する検索語特徴情報３０により特徴付けられる検索語を用いて検索されるべき曲に相応しい一又は複数の調が、夫々の相応しさの度合い（以下、相関値と称する）に応じて色が変化する一又は複数の矢印５７を含む調図形５６としてその検索語特徴図形５０の中心に表示される。そして更に、その調図形５６を中心として、その検索語特徴情報３０に含まれる音特徴情報に含まれるいずれかのパラメータ及び当該検索語特徴情報３０に含まれるいずれかの歌特徴情報の中から、上記曲特徴情報図形６０における特徴図形６１乃至６５に対応するものとして予め設定されたものを含む特徴図形５１乃至５５が含まれている。
【００５９】
このうち、調図形５６は、曲特徴情報図形６０において上記した２４種類の調のいずれかを示す矢印５７を一又は複数含む図形とされている。このとき、上記した曲特徴図形６０の場合と同様に、当該各調を示す矢印５７の表示位置及び表示方向は予め定められており、この定められた表示位置及び表示方向のいずれかに、その検索語特徴情報３０に含まれている調を示す矢印５７が表示されることになる。そして、調図形５６における夫々の矢印５７の色は、上記２４種類の調の夫々と、その検索語により検索されるべき曲の調と、の間の上記相関値に応じて、例えば負の相関値を有する調は青色の矢印５７を対応する予め設定された表示位置及び表示方向に表示することにより示され、一方、正の相関値を有する調は赤色の矢印５７を対応する予め設定された表示位置及び表示方向に表示することにより示される。また、各相関値の絶対値は、対応する矢印５７の色（赤色又は青色）の濃淡により、絶対値が大きいほど濃く表示される。
【００６０】
一方、特徴図形５１乃至５５については、その検索語特徴情報３０に含まれている歌特徴情報のいずれかと、その検索語特徴情報３０に音特徴情報として含まれているパラメータ（上記調を示すパラメータを除く。図２（ｂ）参照）のいずれかと、のうち、予め設定された数（図５の場合五つ）のものが、上記曲特徴情報図形６０に対応して予め設定された表示位置（図５の場合、上記調図形５６を中心とした五角形の夫々の頂点の位置）に表示される。例えば、図５の場合、曲特徴情報図形６０における特徴図形６１に対応する特徴図形５１がその検索語特徴情報３０に含まれる歌特徴情報「心あたたまる」に対応し、曲特徴情報図形６０における特徴図形６２に対応する特徴図形５２がその検索語特徴情報３０に含まれるパラメータ「ＢＰＭ」に対応し、曲特徴情報図形６０における特徴図形６３に対応する特徴図形５３がその検索語特徴情報３０に含まれる歌特徴情報「明るい」に対応し、曲特徴情報図形６０における特徴図形６４に対応する特徴図形５４がその検索語特徴情報３０に含まれるパラメータ「最大レベル」に対応し、曲特徴情報図形６０における特徴図形６５に対応する特徴図形５５がその検索語特徴情報３０に含まれるパラメータ「平均レベル」に対応するものとして表示される。そして、各特徴図形５１乃至５５においては、上記特徴図形６１乃至６５と同様に、夫々の特徴図形として示される歌特徴情報又はパラメータの値が、当該各歌特徴情報及び当該各パラメータの夫々が採り得る最大値及び最小値を用いて正規化された値として予め設定された色により表現される。これに加えて、特徴図形５１乃至５５においては、各検索特徴情報３０に含まれる各歌特徴情報の重み付けの値（図２（ｂ）並びにその関連説明部分参照）が、背景に対するグラデーションの差により、その重み付けの値が大きいほど背景に対するグラデーションがなく塗り潰されるように、またその重み付けの値が小さいほど背景に対してグラデーションが顕著になるようにして、表示される。
【００６１】
上記ステップＳ８の処理により一の曲が出力されると、次に、その出力された曲を聴取した使用者が、出力された曲が上記ステップＳ１において入力・決定された検索語に相応しいか否かを評価し、その評価結果を入力部９を用いて入力する（ステップＳ９）。
【００６２】
そして、入力された評価結果が、その出力された曲が検索語に相応しいとする旨の評価であったときは（ステップＳ９；合致）、後述する合致履歴情報を更新し（ステップＳ１１）ステップＳ１２へ移行する。一方、ステップＳ９の判定において、その出力された曲が検索語に相応しくないとする旨の評価であったときは（ステップＳ９；非合致）、後述する非合致履歴情報を更新し（ステップＳ１０）ステップＳ１２へ移行する。
【００６３】
ここで、上記ステップＳ１０において更新される非合致履歴情報及び上記ステップＳ１１において更新される合致履歴情報について、より具体的に図６を用いて説明する。
【００６４】
先ず、当該合致履歴情報Ｇとしては、図６（ａ）に示すように、使用者が入力した検索語に対応する評価によりその検索語に相応しいと評価された曲の曲特徴情報２０に加えて、その曲特徴情報２０内に含まれている構成語情報に基づき、その時に有効とされている変換テーブルＴを参照として上記ステップＳ４において説明した方法と同様の方法により生成された歌特徴情報４０（その曲に対応する歌特徴情報４０）が含まれている。
【００６５】
一方、非合致履歴情報ＮＧとしては、図６（ｂ）に示すように、上記使用者の評価によりその使用者が入力した検索語に相応しくないと評価された曲の曲特徴情報２０に加えて、その曲特徴情報２０内に含まれている構成語情報に基づき、その時に有効とされている変換テーブルＴを参照として上記ステップＳ４において説明した方法と同様の方法により生成された歌特徴情報４０（その曲に対応する歌特徴情報４０）が、合致履歴情報Ｇの場合と同様に含まれている。
【００６６】
そして、予め設定された曲数分だけ各履歴情報の更新が完了すると、その結果に基づいて上記変換テーブルＴの内容及び検索語特徴情報３０の内容を夫々更新する（ステップＳ１２）。
【００６７】
次に、上記ステップＳ７において作成されている再生リストにおける最後の曲まで出力が完了したか否かが確認され（ステップＳ１３）、最後の曲までの出力が完了していないときは（ステップＳ１３；ＮＯ）上記ステップＳ８まで戻って再生リスト内の次の曲を出力すると共に上述したステップＳ９乃至Ｓ１２を当該次の曲について繰り返す。一方、ステップＳ１３の判定において、最後の曲までの出力が完了したときは（ステップＳ１３；ＹＥＳ）そのまま一連の曲検索処理を終了する。
【００６８】
次に、上記ステップＳ１２における各更新処理における変換テーブルＴの更新処理につき、図７乃至図９を用いて説明する。
【００６９】
当該変換テーブルＴの更新処理においては、図７に示すように、その更新処理を実行しようとしているタイミングで入力されている検索語が、各歌特徴情報４０のいずれかにより示される主観と同じ主観を示す検索語であるか否かを確認し（ステップＳ２０）、当該主観同士が一致しないときは（ステップＳ２０；ＮＯ）変換テーブルＴの更新は行わずに次の検索語特徴情報３０を更新するための処理に移行する。
【００７０】
他方、当該主観同士が一致したときは（ステップＳ２０；ＹＥＳ）、次に、実際の変換テーブルＴの更新処理に移行する。
【００７１】
なお、以下に説明する更新処理においては、予め設定された曲数（図８及び図９の場合は４０曲（相応しい２０曲と相応しくない２０曲））の曲につき、一の検索語（図８及び図９に示す場合は、検索語「心あたたまる」）に相応しいと評価された曲に含まれていた構成語の内容と、その検索語に相応しくないと評価された曲に含まれていた構成語の内容と、に基づいてその検索語に対応する変換テーブルＴを更新する場合について説明する。なお、図８及び図９は、図６に示した各履歴情報のうち、変換テーブルＴの更新処理に必要な項目及び上記検索語特徴情報図形５０における調図形５６の表示に用いられる上記相関値の後述する算出処理に必要な項目のみを抽出したものである。
【００７２】
実際の変換テーブルＴの更新処理おいては、先ず、合致履歴情報につき、相応しいと評価された各曲（図８において、一の保存アドレスが一の曲に対応する）の構成語毎に、全ての曲（２０曲ずつ）について図８において縦方向に「０」又は「１」を全て加算してそれを全曲数（図８の場合は「２０」）で除して平均値ＡＡを求める（ステップＳ２１）。例えば、合致履歴情報における構成語「アイ」の場合は、その構成語が含まれていた（換言すれば、図８において値が「１」となっている）曲は５曲であるから、これを全曲数である「２０」で除すると、構成語「アイ」について平均値ＡＡは「０．２５」となる。そして、この平均値算出処理を全ての構成語について実行する。
【００７３】
次に、これと同様に、非合致履歴情報につき、相応しくないと評価された各曲の構成語毎に、全ての曲について図９において縦方向に「０」又は「１」を全て加算してそれを全曲数で除して平均値ＤＡを求める（ステップＳ２１）。例えば、非合致履歴情報における構成語「アイ」の場合は、その構成語が含まれていた曲は１４曲であるから、これを全曲数で除すると、構成語「アイ」について平均値ＤＡは「０．７０」となる。そして、この平均値算出処理を全ての構成語について実行する。
【００７４】
ここで、各構成語の夫々につき、平均値ＡＡと平均値ＤＡとの差が大きければ大きいほど、その構成語によって現在の検索語に対応する歌特徴情報４０を表現できる可能性が高くなることになる。
【００７５】
しかしながら、ここで注意すべきは、上述した処理により算出した各平均値ＡＡ及びＤＡは、曲データベース２内に蓄積されている全ての曲について評価した結果として得られたものではないということである。そこで、算出した各平均値(統計的には「標本比率」と称されるものに相当する)の信頼限界幅を求め、各構成語夫々に対応する平均値ＡＡと平均値ＤＡとの差（平均値ＡＡ−平均値ＤＡ）を、その構成語の履歴情報上の重み付け値とすることができるか否かについて確認を行う。より具体的には、信頼限界幅の信頼度を仮に９０％とし、以下の式（１）により算出した（ステップＳ２２）信頼限界幅を用いて確認を行う。すなわち、各構成語の夫々につき、
信頼限界幅＝２×１．６５×〔(ＡＡ×（１−ＡＡ）)/曲数〕１／２      …（１）
の式により対応する信頼限界幅を算出する。
【００７６】
次に、信頼限界幅が算出されたら、これを用いて、平均値ＡＡの値から平均値ＤＡの値を差し引いた値の絶対値が上記算出された信頼限界幅以上であるか否かを確認する（ステップＳ２３）。
【００７７】
そして、平均値ＡＡの値から平均値ＤＡの値を差し引いた値の絶対値が信頼限界幅以上であるとき（ステップＳ２３；ＹＥＳ）、この差を信頼できる値であるとして、変換テーブルＴにおける該当する構成語（図８の場合は構成語「心あたたまる」）の重み付け値として採用し、当該変換テーブルＴに登録（格納）する（ステップＳ２４）。一方、ステップＳ２３において、平均値ＡＡの値から平均値ＤＡの値を差し引いた値の絶対値が信頼限界幅未満であるとき（ステップＳ２３；ＮＯ）、この差は信頼できない値であるとして変換テーブルＴにおける該当する構成語の重み付けを「０」と更新する（ステップＳ２５）。
【００７８】
なお、情報検索装置Ｓの初期状態においては、各履歴情報には予め設定された初期値が格納されており、また、履歴情報の対象となる曲数も有限であるので、結果として古い履歴情報に新しい履歴情報が上書きされることになる。これにより、出力された曲の評価が進むにつれて次第に使用者毎に固有の主観が変換テーブルＴの重み付け値に反映されていくようになる。このことはまた、主観が変化した場合にもこれに対応して変換テーブルＴを更新することができることをも示している。
【００７９】
次に、上記検索語特徴情報図形５０内の調図形５６における矢印５７の表示に用いられる相関値の算出処理につき、図８及び図９を用いて説明する。
【００８０】
当該算出処理は、具体的には上述した変換テーブルＴの更新処理と同様の処理により算出される。
【００８１】
なお、以下に説明する算出処理においては、予め設定された曲数（図８及び図９の場合は４０曲（相応しい２０曲と相応しくない２０曲））の曲につき、一の検索語（図８及び図９に示す場合は、検索語「心あたたまる」）に相応しいと評価された曲の調と、その検索語に相応しくないと評価された曲の調と、に基づいてその検索語に対応する調の相関値を算出する場合について説明する。また、一の曲に対応する調については、たとえその曲が途中で変調する場合であっても一の曲には主たる一の調が対応付けられているので、図８及び図９（ａ）の横一行において「１」の値をとる調は一つの曲につき一つのみである。
【００８２】
実際の相関値の算出処理おいては、先ず、合致履歴情報につき、相応しいと評価された各曲（図８及び図９（ａ）において、一の保存アドレスが一の曲に対応する）の調毎に、全ての曲（２０曲ずつ）について図８において縦方向に「０」又は「１」を全て加算してそれを全曲数（図８の場合は「２０」）で除して平均値ＡＡを求める（図７ステップＳ２１参照）。例えば、合致履歴情報におけるハ長調の場合は、その調が含まれていた（換言すれば、図８において値が「１」となっている）曲は３曲であるから、これを全曲数である「２０」で除すると、ハ長調について平均値ＡＡは「０．１５」となる。そして、この平均値算出処理を全ての調について実行する。
【００８３】
次に、これと同様に、非合致履歴情報につき、相応しくないと評価された各曲の調毎に、全ての曲について図９（ａ）において縦方向に「０」又は「１」を全て加算してそれを全曲数で除して平均値ＤＡを求める（図７ステップＳ２１参照）。例えば、非合致履歴情報におけるハ長調の場合は、その調が含まれていた曲は４曲であるから、これを全曲数で除すると、ハ長調について平均値ＤＡは「０．２０」となる。そして、この平均値算出処理を全ての調について実行する。
【００８４】
ここで、各調の夫々につき、平均値ＡＡと平均値ＤＡとの差が大きければ大きいほど、その調によって現在の曲の調に相応しくなる（換言すれば相関値が大きくなる）可能性が高くなることになる。
【００８５】
しかしながら、ここで上記変換テーブルＴの更新の場合と同様の統計的な問題が相関値の算出処理についても存在するので、ここでも算出した各平均値の信頼限界幅を求め、各構成語夫々に対応する平均値ＡＡと平均値ＤＡとの差（平均値ＡＡ−平均値ＤＡ）を、その構成語の履歴情報上の重み付け値とすることができるか否かについて確認を行う。より具体的には、信頼限界幅の信頼度を仮に９０％とし、上記式（１）により算出した（図７ステップＳ２２参照）信頼限界幅を用いて確認を行う。
【００８６】
次に、信頼限界幅が算出されたら、これを用いて、平均値ＡＡの値から平均値ＤＡの値を差し引いた値の絶対値が上記算出された信頼限界幅以上であるか否かを確認する（図７ステップＳ２３参照）。
【００８７】
そして、平均値ＡＡの値から平均値ＤＡの値を差し引いた値の絶対値が信頼限界幅以上であるとき（図７ステップＳ２３；ＹＥＳ参照）、この差を信頼できる値であるとして、その調の相関値ＴＴとして新たに採用する（図７ステップＳ２４及び図９（ｂ）参照）。一方、平均値ＡＡの値から平均値ＤＡの値を差し引いた値の絶対値が信頼限界幅未満であるとき（図７ステップＳ２３；ＮＯ参照）、この差は信頼できない値であるとして相関値を更新しない（図７ステップＳ２５参照）。
【００８８】
なお、上記変換テーブルＴの更新処理の場合と同様に、情報検索装置Ｓの初期状態においては、各履歴情報には予め設定された上記相関値の初期値が格納されており、また、履歴情報の対象となる曲数も有限であるので、結果として古い履歴情報に新しい履歴情報が上書きされることになる。
【００８９】
以上説明したように、実施形態の曲検索装置Ｓの動作によれば、入力された検索語に対応する検索語特徴情報３０と、蓄積されている各曲に対応する曲特徴情報２０と、を比較して曲を検索するので、当該入力された検索語により相応しい曲を確実に検索できると共に、入力された検索語を直接用いて曲を検索する場合に比してより使用者の主観に合致した曲を検索することができる。
【００９０】
また、検索語特徴情報画像５０と曲特徴情報画像６０とが同じディスプレイ１２の画面内に表示されるので、使用者が入力した検索語により検索されるべき検索語特徴情報３０の内容とその検索語により実際に抽出された曲を示す曲特徴情報２０の内容とを比較でき、自己が入力した検索語の特徴と抽出された曲の特徴との類似度をイメージとして把握することができる。
【００９１】
更に、検索語特徴情報画像５０及び曲特徴情報画像６０が同時に、且つ、同じ構図の画像を用いてディスプレイ１２に表示されるので、双方の比較が視覚的に容易に行える。
【００９２】
更にまた、検索語特徴情報３０における歌特徴情報の重み付けの度合いが特徴図形５１乃至５５のグラデーションの変化により表示されるので、視覚的に容易に重み付けの変化を認識することができる。
【００９３】
また、曲特徴情報２０及び検索語特徴情報３０の夫々により示される音響的特徴を示す各パラメータの大きさが各パラメータ毎に視認可能に表示されるので、当該各パラメータ毎の詳細な大小関係等を視覚的に認識することができる。
【００９４】
更に、曲特徴情報２０及び検索語特徴情報３０の夫々により示される歌詞の特徴を示す各歌特徴情報の大きさが各歌特徴情報毎に視認可能に表示されるので、当該各歌特徴情報毎の詳細な大小関係等を視覚的に認識することができる。
【００９５】
更にまた、各パラメータを示す図形の色自体の相違により各パラメータの大きさが表現されるので、視覚的に容易に各パラメータの大きさを認識することができる。
【００９６】
また、評価情報に基づいて検索語特徴情報３０が更新されると共に当該検索語特徴情報３０における歌特徴情報の重み付けを示す特徴図形５１乃至５５の大きさが検索語特徴情報３０と共に表示されるので、検索語特徴情報３０における歌特徴情報の重み付けと共にその重み付けに基づく検索語特徴情報３０の変遷を視覚的に把握することができる。
【００９７】
なお、上述した実施形態においては、検索語特徴情報図形５０における特徴図形５１乃至５５のグラデーションを変化させることで夫々の検索語における歌特徴情報の重み付けん相違を表現したが、これ以外に、例えば図１０左に示す検索語特徴情報図形７０のように、特徴図形７１乃至７５（図５左に示す検索語特徴情報図形５０における特徴図形５１乃至５５に相当）における長さの変化を、対応する歌特徴情報の重み付けの度合いを示すものとして用いることもできる。ここで、図１０右は、検索語特徴情報図形７０に対応する表示態様を備える曲特徴情報図形８０であり、特徴図形８１乃至８５（図５右に示す曲特徴情報図形６０における特徴図形６１乃至６５に相当）も検索語特徴情報図形７０に合わせて三角形とされている。また、図１０において、図５に示される各図形と同様の部材については同様の部材番号により示されている。
【００９８】
この図１０に示す場合には、歌特徴情報の重み付けの大きさが特徴図形７１乃至７５の大きさの変化により表示されるので、視覚的に容易に当該重み付けの変化を認識することができる。
【００９９】
また、上述した実施形態において、入力部９における操作により、表示されている検索語特徴情報図形５０又は７０に対応する検索語特徴情報３０を使用者が変更するように構成することもできる。
【０１００】
この場合には、検索語特徴情報３０の内容を使用者が変更することができるので、当該検索語特徴情報３０を使用者の好みに応じて変更することで、よりその使用者に趣味等に応じた曲を抽出することができる。
【０１０１】
更に、入力部９における操作により、表示されている検索語特徴情報画像５０又は７０に対応する検索語特徴情報３０及び検索語特徴情報３０に含まれる歌特徴情報の重み付けの夫々を変更するように構成することもできる。
【０１０２】
この場合には、当該検索語特徴情報３０及び歌特徴情報の重み付けを使用者の好みに応じて変更することで、よりその使用者に趣味等に応じた曲を抽出することができる。
【０１０３】
更にまた、検索語特徴情報図形５０又は７０及び曲特徴情報図形６０又は８０が同時に表示されている場合において、当該表示されている検索語特徴情報図形５０又は７０に対応する検索語特徴情報３０の内容を、検索処理部８においてその時に表示されている曲特徴情報画像６０又は８０に対応する曲特徴情報２０の内容と同一の内容に置換して検索語特徴情報データベース４に蓄積し直すように構成することもできる。
【０１０４】
この場合には、抽出された曲を使用者が気に入ったとき、入力された検索語に対応する検索語特徴情報３０をその曲の曲特徴情報２０に置換できることで、再度のその検索語が入力されたときはその抽出された曲が再度抽出されることになり、より使用者の趣味等に応じて曲を抽出することができる。
【０１０５】
更に、上述した実施形態では、複数の曲を蓄積してこれを検索する曲検索装置Ｓに対して本願を適用した場合について説明したが、これ以外に、静止画像又は動画像を蓄積し、これらを使用者の主観に応じて検索する画像検索装置に対して本願を適用することも可能である。
【０１０６】
更にまた、図３及び図７に示すフローチャートに対応するプログラムを、フレキシブルディスク等の情報記録媒体に記録しておき、或いは当該プログラムをインターネット等のネットワークを介して取得して記録しておき、これらを汎用のマイクロコンピュータ等を用いて読み出して実行することにより、当該汎用のマイクロコンピュータを実施形態に係る検索処理部８として用いることも可能である。
【図面の簡単な説明】
【０１０７】
【図１】実施形態に係る曲検索装置の概要構成を示すブロック図である。
【図２】実施形態に係る曲検索装置内に蓄積されている情報のデータ構造を例示する図であり（ａ）は曲特徴情報のデータ構造を例示する図であり、（ｂ）は検索語特徴情報のデータ構造を例示する図である。
【図３】実施形態に係る曲検索処理を示すフローチャートである。
【図４】実施形態に係る変換テーブルを例示する図である。
【図５】検索語特徴情報図形及び曲特徴情報図形の表示例を示す図である。
【図６】実施形態に係る履歴情報のデータ構造を例示する図であり、（ａ）は合致履歴情報のデータ構造を例示する図であり、（ｂ）は非合致履歴情報のデータ構造を例示する図である。
【図７】変換テーブルの更新処理の細部を示すフローチャートである。
【図８】変換テーブルの更新処理の具体例を示す図（Ｉ）である。
【図９】変換テーブルの更新処理の具体例を示す図（II）である。
【図１０】検索語特徴情報図形及び曲特徴情報図形の他の表示例を示す図である。
【符号の説明】
【０１０８】
１    曲入力部
２    曲データベース
３    曲特徴情報データベース
４    検索語特徴情報データベース
５    音特徴情報抽出部
６    構成語情報抽出部
７    曲特徴情報生成部
８    検索処理部
９    入力部
１０    曲出力部
１１    履歴記憶部
１２    ディスプレイ
２０    曲特徴情報
３０    検索語特徴情報
４０    歌特徴情報
５０、７０    検索語特徴情報表示図形
５１、５２、５３、５４、５５、６１、６２、６３、６４、６５、７１、７２、７３、７４、７５、８１、８２、８３、８４、８５    特徴図形
５６、６６    調図形
５７、６７    矢印
６０、８０    曲特徴情報表示図形
Ｓ    曲検索装置
Ｔ    変換テーブル
ＴＴ    相関値
【図１】
2005173938.tif 000003
【図２】
2005173938.tif 000004
【図３】
2005173938.tif 000005
【図４】
2005173938.tif 000006
【図６】
2005173938.tif 000007
【図７】
2005173938.tif 000008
【図８】
2005173938.tif 000009
【図９】
2005173938.tif 000010
【図５】
2005173938.tif 000011
【図１０】
2005173938.tif 000012